(57)【要約】【課題】  目が疲れることを少なくし、かつ、映画らしく、フィルムライクの映像を楽しむことができ、心地よさを感じることが可能な映像の表示を実行する映像表示装置および映像表示方法を提供する。【解決手段】  １／ｆゆらぎ発生部６は、デコーダ５から供給されたディジタル映像情報に応じた映像の表示がゆらぎを有するように、デコーダ５から供給されたディジタル映像情報を変更（１／ｆゆらぎ加工）し、１／ｆゆらぎ加工を施したディジタル映像情報をビデオプロジェクタ７１に供給する。ビデオプロジェクタ７１は、１／ｆゆらぎ発生部６から供給されたディジタル映像情報に応じた映像をスクリーン７２に表示する。１／ｆゆらぎ発生部６から供給されたディジタル映像情報はゆらぎを有する映像を示すので、スクリーン７２に表示される映像はゆらぎを有する。【選択図】      図１
2005184217.tif 000002
【特許請求の範囲】
【請求項１】
ディジタル映像情報に応じた映像の表示を実行する映像表示装置であって、
前記ディジタル映像情報に応じた映像の表示がゆらぎを有するように前記ディジタル映像情報を変更し、変更したディジタル映像情報を変更ディジタル情報として出力する変更部と、
前記変更ディジタル情報に応じた映像の表示を実行する表示実行部とを含むことを特徴とする映像表示装置。
【請求項２】
請求項１に記載の映像表示装置において、
前記変更部は、前記ディジタル映像情報に応じた映像の表示が１／ｆゆらぎを有するように前記ディジタル映像情報を変更し、変更したディジタル映像情報を変更ディジタル情報として出力することを特徴とする映像表示装置。
【請求項３】
請求項１または２に記載の映像表示装置において、
前記変更部は、前記ディジタル映像情報に応じた映像の表示が振動するように前記ディジタル映像情報を変更し、変更したディジタル映像情報を前記変更ディジタル情報として出力することを特徴とする映像表示装置。
【請求項４】
請求項３に記載の映像表示装置において、
前記変更部は、
乱数を発生する乱数発生部と、
前記ディジタル映像情報に応じた映像の表示が振動するように前記ディジタル映像情報を前記乱数発生部によって発生された乱数に基づいて変更し、変更したディジタル映像情報を前記変更ディジタル情報として出力する振動制御部とを含むことを特徴とする映像表示装置。
【請求項５】
請求項１または２に記載の映像表示装置において、
前記変更部は、前記ディジタル映像情報に応じた映像の表示のぼやけ具合が時間の経過に伴って変動するように前記ディジタル映像情報を変更し、変更したディジタル映像情報を前記変更ディジタル情報として出力することを特徴とする映像表示装置。
【請求項６】
請求項５に記載の映像表示装置において、
前記変更部は、
乱数を発生する乱数発生部と、
前記ディジタル映像情報に応じた映像の表示のぼやけ具合が時間の経過に伴って変動するように前記ディジタル映像情報を前記乱数発生部によって発生された乱数に基づいて変更し、変更したディジタル映像情報を前記変更ディジタル情報として出力するぼやけ具合制御部とを含むことを特徴とする映像表示装置。
【請求項７】
請求項６に記載の映像表示装置において、
前記ぼやけ具合制御部は、ローパスフィルターであることを特徴とする映像表示装置。
【請求項８】
請求項１または２に記載の映像表示装置において、
前記変更部は、前記ディジタル映像情報に応じた映像の表示が振動しかつ該表示のぼやけ具合が時間の経過に伴って変動するように、前記ディジタル映像情報を変更し、変更したディジタル映像情報を前記変更ディジタル情報として出力することを特徴とする映像表示装置。
【請求項９】
請求項８に記載の映像表示装置において、
前記変更部は、
乱数を発生する乱数発生部と、
前記ディジタル映像情報に応じた映像の表示が振動しかつ該表示のぼやけ具合が時間の経過に伴って変動するように、前記ディジタル映像情報を前記乱数発生部によって発生された乱数に基づいて変更し、変更したディジタル映像情報を前記変更ディジタル情報として出力するゆらぎ制御部とを含むことを特徴とする映像表示装置。
【請求項１０】
請求項１ないし９のいずれか１項に記載の映像表示装置において、
前記ディジタル映像情報を符号化および圧縮する符号化部と、
前記符号化部によって符号化および圧縮されたディジタル映像情報を記録する記録部と、
前記記録部に記録されたディジタル映像情報を伸長および復号化する復号化部をさらに含み、
前記変更部は、前記復号化部によって伸長および復号化されたディジタル映像情報を変更することを特徴とする映像表示装置。
【請求項１１】
請求項１ないし９のいずれか１項に記載の映像表示装置において、
前記変更部から出力される変更ディジタル情報を符号化および圧縮する符号化部と、
前記符号化部によって符号化および圧縮された変更ディジタル映像情報を記録する記録部と、
前記記録部に記録された変更ディジタル映像情報を伸長および復号化する復号化部をさらに含み、
前記表示実行部は、前記復号化部によって伸長および復号化された変更ディジタル映像情報に応じた映像の表示を実行することを特徴とする映像表示装置。
【請求項１２】
請求項１０または１１に記載の映像表示装置において、
前記記録部は、複数の記録媒体を含み、前記ディジタル映像情報または前記変更ディジタル映像情報を該複数の記録媒体に分散して記録することを特徴とする映像表示装置。
【請求項１３】
請求項１０ないし１２のいずれか１項に記載の映像表示装置において、
前記符号化部は、前記ディジタル映像情報をＭＰＥＧ２規格に基づいて符号化および圧縮することを特徴とする映像表示装置。
【請求項１４】
請求項１３に記載の映像表示装置において、
前記ディジタル映像情報は、高精細映像情報であり、
前記符号化部は、前記ディジタル映像情報をＭＰＥＧ２規格のＭＰ＠ＨＬの高精細符号化復号化手法により符号化および圧縮することを特徴とする映像表示装置。
【請求項１５】
請求項１０ないし１２のいずれか１項に記載の映像表示装置において、
前記符号化部は、前記ディジタル映像情報をＷＭ９規格に基づいて符号化および圧縮することを特徴とする映像表示装置。
【請求項１６】
ディジタル映像情報に応じた映像の表示を実行する映像表示装置が行う映像表示方法であって、
前記ディジタル映像情報に応じた映像の表示がゆらぎを有するように前記ディジタル映像情報を変更し、変更したディジタル映像情報を変更ディジタル情報として出力する変更ステップと、
前記変更ディジタル情報に応じた映像の表示を実行する表示実行ステップとを含むことを特徴とする映像表示方法。
【請求項１７】
請求項１６に記載の映像表示方法において、
前記変更ステップは、前記ディジタル映像情報に応じた映像の表示が１／ｆゆらぎを有するように前記ディジタル映像情報を変更し、変更したディジタル映像情報を変更ディジタル情報として出力することを特徴とする映像表示方法。
【請求項１８】
請求項１６または１７に記載の映像表示方法において、
前記変更ステップは、前記ディジタル映像情報に応じた映像の表示が振動するように前記ディジタル映像情報を変更し、変更したディジタル映像情報を前記変更ディジタル情報として出力することを特徴とする映像表示方法。
【請求項１９】
請求項１８に記載の映像表示方法において、
前記変更ステップは、
乱数を発生する乱数発生ステップと、
前記ディジタル映像情報に応じた映像の表示が振動するように前記ディジタル映像情報を前記乱数発生ステップで発生した乱数に基づいて変更し、変更したディジタル映像情報を前記変更ディジタル情報として出力する振動制御ステップとを含むことを特徴とする映像表示方法。
【請求項２０】
請求項１６または１７に記載の映像表示方法において、
前記変更ステップは、前記ディジタル映像情報に応じた映像の表示のぼやけ具合が時間の経過に伴って変動するように前記ディジタル映像情報を変更し、変更したディジタル映像情報を前記変更ディジタル情報として出力することを特徴とする映像表示方法。
【請求項２１】
請求項２０に記載の映像表示方法において、
前記変更ステップは、
乱数を発生する乱数発生ステップと、
前記ディジタル映像情報に応じた映像の表示のぼやけ具合が時間の経過に伴って変動するように前記ディジタル映像情報を前記乱数発生ステップで発生した乱数に基づいて変更し、変更したディジタル映像情報を前記変更ディジタル情報として出力するぼやけ具合制御ステップとを含むことを特徴とする映像表示方法。
【請求項２２】
請求項２１に記載の映像表示方法において、
前記ぼやけ具合制御ステップは、ローパスフィルターが実行することを特徴とする映像表示方法。
【請求項２３】
請求項１６または１７に記載の映像表示方法において、
前記変更ステップは、前記ディジタル映像情報に応じた映像の表示が振動しかつ該表示のぼやけ具合が時間の経過に伴って変動するように、前記ディジタル映像情報を変更し、変更したディジタル映像情報を前記変更ディジタル情報として出力することを特徴とする映像表示方法。
【請求項２４】
請求項２３に記載の映像表示方法において、
前記変更ステップは、
乱数を発生する乱数発生ステップと、
前記ディジタル映像情報に応じた映像の表示が振動しかつ該表示のぼやけ具合が時間の経過に伴って変動するように、前記ディジタル映像情報を前記乱数発生ステップで発生した乱数に基づいて変更し、変更したディジタル映像情報を前記変更ディジタル情報として出力するゆらぎ制御ステップとを含むことを特徴とする映像表示方法。
【発明の詳細な説明】
【技術分野】
【０００１】
本発明は、映像表示装置および映像表示方法に関し、特には、ディジタル映像情報に応じた映像の表示を実行する映像表示装置および映像表示方法に関する。
【背景技術】
【０００２】
従来、映像情報を記録し、記録した映像情報に応じた映像を表示する映像記録再生表示装置が知られている。
【０００３】
映像記録再生表示装置が記録する映像情報は、例えば、テレビカメラ等の撮像装置から供給されたり、または、ＶＴＲ（Ｖｉｄｅｏ  Ｔａｐｅ  Ｒｅｃｏｒｄｅｒ）、ＬＤ（Ｌａｓｅｒ  Ｄｉｓｋ）プレーヤ、ＤＶＤ（Ｄｉｇｉｔａｌ  Ｖｅｒｓａｔｉｌｅ  Ｄｉｓｋ）プレーヤ等の映像記録再生装置から供給されたり、または、パソコン、ワークステーション等のコンピュータ装置から供給されたりする。
【０００４】
映像情報が供給された映像記録再生表示装置は、供給された映像情報を内部の記録媒体に記録し、記録媒体に記録した映像情報を再生し、再生した映像情報に応じた映像をビデオプロジェクタ等の映像表示部を利用して表示する。
【０００５】
従来、映像記録再生表示装置は、アナログ信号の映像情報を取り扱うものが一般的であったが、近年、高精細で高画質の映像を容易に加工、処理および保存可能とするために映像情報のディジタル化が進み、これに伴い、ディジタル映像情報に応じた映像を表示する映像記録再生表示装置の実用化が進んでいる。
【０００６】
視聴者は、映像記録再生表示装置によって表示された映像を観賞するが、視聴者は、映像記録再生表示装置によって表示された映像をみると、映像に関する種々の要因により疲労してしまう可能性がある。
【０００７】
特許文献１（特開平６−２１５０９２号公報）には、視聴者に与える疲労を少なくできる映像を表示する表示装置が記載されている。
【０００８】
具体的には、視聴者が注視すべき箇所を鮮明化し、かつ、視聴者が注視すべき箇所でない領域に対しては、視聴者が注視すべき箇所と視聴者が注視すべき箇所でない領域との奥行き差に応じたぼけを付加した画像を表示する表示装置が特許文献１に記載されている。この場合、視聴者は、注視すべき箇所に集中することが容易となり、必要性の低い映像に気をとられることが少なくなる。このため、視聴者は、映像画面全体が鮮明である場合よりも、必要性の低い映像に気をとられないように集中する必要性が少なくなり、視聴者の疲労が少なくなる。
【特許文献１】特開平６−２１５０９２号公報
【発明の開示】
【発明が解決しようとする課題】
【０００９】
映像記録再生表示装置では、ディジタルハイビジョン等の高精細映像情報（ディジタルＨＤ（Ｈｉｇｈ  Ｄｅｆｉｎｉｔｉｏｎ）映像情報）のようなディジタル映像情報を扱う場合、次のような問題が生じる。
【００１０】
第１の問題点は、ビデオプロジェクタ等の映像表示部が、例えば、数百インチ等の大型スクリーン上にディジタル映像情報に応じた映像を表示し、視聴者が大型スクリーンに表示された映像を長時間視聴する場合、視聴者の目に疲労感を与える傾向がある点である。
【００１１】
以下、第１の問題点について説明する。
【００１２】
ＶＴＲ、ＬＤプレーヤ、ＤＶＤプレーヤ等の映像記録再生装置は、ＴＢＣ（Ｔｉｍｅ  Ｂａｓｅ  Ｃｏｒｒｅｃｔｏｒ：時間軸補正）を用いてアナログ映像情報をディジタル化したり、さらにディジタルハイビジョン等の高精細映像（ディジタルＨＤ映像情報）に対応するようにしたりすることで、画面の縦方向（Ｖ）および横方向（Ｈ）の２方向（上下左右方向）に対する画面の不規則なゆれ（ジッター）を無くし、画面全体の安定度を増し、常にカッチッとした画面を表示する。
【００１３】
上下左右方向の不規則なゆれ（ジッター）が全く無い映像は、数十インチまでのＣＲＴ（Ｃａｔｈｏｄｅ  Ｒａｙ  Ｔｕｂｅ）モニタ等で表示される場合には大きな問題とならないものの、例えば、上下左右方向の不規則なゆれ（ジッター）が全く無い映像が数百インチ等の大型スクリーン上に表示される場合には、視聴者の目を疲れさせる原因となる可能性がある。
【００１４】
人間の目が映像を注視する場合、画面が小さい場合には、視野角が狭い範囲で視点を移動させながら映像を注視することとなり、特に疲労を感じることもないのに対し、画面が大きい場合には、非常に大きな視野角で画面全体を注視した上で、画面内の人物または物の動きを追いかけるといった視点の移動を行うこととなり、画面が大きければ大きいほど、視点の移動量も大きくなり、目が疲れることとなる。特に、上下左右方向の不規則なゆれ（ジッター）が全く無い映像の場合、視聴者は、映像画面のすべての領域に注意を配ろうとする可能性が高くなるので、視点の移動量も大きくなり、目が疲れる原因となりやすい。
【００１５】
第１の問題は、ビデオゲームやパソコン等の画面を普段見慣れた若年層にとっては、さほど大きな問題にはなりにくいのに対し、特に高齢者にとっては、加齢による視力低下とあいまって、目の疲労度が大きくなる傾向が見られる。
【００１６】
第２の問題点は、ディジタル映像情報を扱う映像記録再生表示装置では、従来のフィルム映写機による映画上映等と比べ、視聴者にとって、感覚的な慣れや、感覚的な慣れによる親近感、安心感、懐かしさ、ひいては心地よさといった感覚が感じられにくくなる点である。
【００１７】
特に、ビデオプロジェクタ等の映像表示部により数百インチ等の大型スクリーン上に映画等の映像を長時間連続して表示した場合、従来のフィルム映写機による映画上映等と比べ、感覚的な慣れや、感覚的な慣れによる親近感、安心感、懐かしさ、ひいては心地よさといった感覚が感じられにくくなる。
【００１８】
以下、第２の問題点について説明する。
【００１９】
従来のフィルム映写機による映画上映では、フィルム映写機がフィルムをまわす際、回転機構の不規則な微動により、表示映像に、上下方向および左右方向の不規則なゆれ（ジッター）が発生する。また、フィルム回転機構の不規則な微動により、フィルム映写機に、フィルム映写機からスクリーン方向に対する方向の不規則なゆれ（ブレ）が発生する。このため、スクリーンに表示される映像は、上下方向および左右方向の不規則な微小なゆれを有するとともに不規則にピントがあったりずれたりする映像となる。
【００２０】
従来のフィルム映写機による映画上映では、映像の不規則な上下左右のゆれ（ジッター）および不規則に映像のピントが合ったり映像のピントがボケたりすることで、映画らしさ、フィルムライクの映像を楽しむことができ、フィルム特有の感覚的な慣れおよびフィルム特有の感覚的な慣れによる親近感、安心感、懐かしさ、ひいては心地よさといった感覚を感じることができた。
【００２１】
これに対して、ディジタル映像情報を扱う映像記録再生表示装置により表示される映像は、映像の上下左右方向の不規則なゆれ（ジッター）が無く、不規則に映像のピントが合ったり映像のピントがボケたりすることも無く、画面全体の安定度が増し、カッチッとした画面で、画面全体にピントが合った、いわゆる「硬い」映像となる。このため、ディジタル映像情報を扱う映像記録再生表示装置により表示される映像は、映画らしさが無くなり、フィルムライクの映像を楽しむことができず、感覚的な慣れや、感覚的な慣れによる親近感、安心感、懐かしさ、ひいては心地よさといった感覚を感じることができなくなる可能性がある。
【００２２】
特許文献１に記載の表示装置の場合、第１の問題点を解決することは可能であるが、第２の問題点を同時に解決することは困難である。
【００２３】
本発明の目的は、目が疲れることを少なくし、かつ、視聴者が、映画らしく、フィルムライクの映像を楽しむことができ、心地よさを感じることが可能な映像の表示を実行する映像表示装置および映像表示方法を提供することである。
【課題を解決するための手段】
【００２４】
上記の目的を達成するために、本発明の映像表示装置は、ディジタル映像情報に応じた映像の表示を実行する映像表示装置であって、前記ディジタル映像情報に応じた映像の表示がゆらぎを有するように前記ディジタル映像情報を変更し、変更したディジタル映像情報を変更ディジタル情報として出力する変更部と、前記変更ディジタル情報に応じた映像の表示を実行する表示実行部とを含むことを特徴とする。
【００２５】
また、本発明の映像表示方法は、ディジタル映像情報に応じた映像の表示を実行する映像表示装置が行う映像表示方法であって、前記ディジタル映像情報に応じた映像の表示がゆらぎを有するように前記ディジタル映像情報を変更し、変更したディジタル映像情報を変更ディジタル情報として出力する変更ステップと、前記変更ディジタル情報に応じた映像の表示を実行する表示実行ステップとを含むことを特徴とする。
【００２６】
上記の発明によれば、ディジタル映像情報に応じた映像の表示がゆらぎを有するようにディジタル映像情報を変更し、変更したディジタル映像情報に応じた映像の表示を実行する。このため、表示される映像を、フィルム映写機を用いて表示されたようにゆらぎを有するものとすることが可能となる。したがって、視聴者にゆらぎを有する映像を提供することが可能となり、例えば、映像が数百インチ等の大型スクリーンに表示されていても、眼の疲れが少なくなり、視聴者は、映画らしく、フィルムライクの映像を楽しむことができ、心地よさを感じることが可能となる。
【００２７】
また、上記映像表示装置において、前記変更部は、前記ディジタル映像情報に応じた映像の表示が１／ｆゆらぎを有するように前記ディジタル映像情報を変更し、変更したディジタル映像情報を変更ディジタル情報として出力することが望ましい。
【００２８】
また、上記映像表示方法において、前記変更ステップは、前記ディジタル映像情報に応じた映像の表示が１／ｆゆらぎを有するように前記ディジタル映像情報を変更し、変更したディジタル映像情報を変更ディジタル情報として出力することが望ましい。
【００２９】
上記の発明によれば、１／ｆゆらぎを有する映像を表示することが可能となるので、映像の視聴者の疲れを少なくさせることが可能となる。
【００３０】
また、上記映像表示装置において、前記変更部は、前記ディジタル映像情報に応じた映像の表示が振動するように前記ディジタル映像情報を変更し、変更したディジタル映像情報を前記変更ディジタル情報として出力することが望ましい。
【００３１】
また、上記映像表示方法において、前記変更ステップは、前記ディジタル映像情報に応じた映像の表示が振動するように前記ディジタル映像情報を変更し、変更したディジタル映像情報を前記変更ディジタル情報として出力することが望ましい。
【００３２】
上記の発明によれば、ディジタル映像情報に応じた映像の表示が振動するようにディジタル映像情報を変更し、変更したディジタル映像情報に応じた映像の表示を実行する。このため、表示される映像を、フィルム映写機を用いて表示されたように振動を有するものとすることが可能となる。したがって、視聴者に振動を有する映像を提供することが可能となり、例えば、映像が数百インチ等の大型スクリーンに表示されていても、眼の疲れが少なくなり、視聴者は、映画らしく、フィルムライクの映像を楽しむことができ、心地よさを感じることが可能となる。
【００３３】
また、上記映像表示装置において、前記変更部は、乱数を発生する乱数発生部と、前記ディジタル映像情報に応じた映像の表示が振動するように前記ディジタル映像情報を前記乱数発生部によって発生された乱数に基づいて変更し、変更したディジタル映像情報を前記変更ディジタル情報として出力する振動制御部とを含むことが望ましい。
【００３４】
また、上記映像表示方法において、前記変更ステップは、乱数を発生する乱数発生ステップと、前記ディジタル映像情報に応じた映像の表示が振動するように前記ディジタル映像情報を前記乱数発生ステップで発生した乱数に基づいて変更し、変更したディジタル映像情報を前記変更ディジタル情報として出力する振動制御ステップとを含むことが望ましい。
【００３５】
また、上記映像表示装置において、前記変更部は、前記ディジタル映像情報に応じた映像の表示のぼやけ具合が時間の経過に伴って変動するように前記ディジタル映像情報を変更し、変更したディジタル映像情報を前記変更ディジタル情報として出力することが望ましい。
【００３６】
また、上記映像表示方法において、前記変更ステップは、前記ディジタル映像情報に応じた映像の表示のぼやけ具合が時間の経過に伴って変動するように前記ディジタル映像情報を変更し、変更したディジタル映像情報を前記変更ディジタル情報として出力することが望ましい。
【００３７】
上記の発明によれば、ディジタル映像情報に応じた映像の表示のぼやけ具合が時間の経過に伴って変動するようにディジタル映像情報を変更し、変更したディジタル映像情報に応じた映像の表示を実行する。このため、表示される映像を、フィルム映写機を用いて表示されたようにぼやけ具合が時間の経過に伴って変動するものとすることが可能となる。したがって、視聴者にぼやけ具合が時間の経過に伴って変動する映像を提供することが可能となり、例えば、映像が数百インチ等の大型スクリーンに表示されていても、眼の疲れが少なくなり、視聴者は、映画らしく、フィルムライクの映像を楽しむことができ、心地よさを感じることが可能となる。
【００３８】
また、上記映像表示装置において、前記変更部は、乱数を発生する乱数発生部と、前記ディジタル映像情報に応じた映像の表示のぼやけ具合が時間の経過に伴って変動するように前記ディジタル映像情報を前記乱数発生部によって発生された乱数に基づいて変更し、変更したディジタル映像情報を前記変更ディジタル情報として出力するぼやけ具合制御部とを含むことが望ましい。
【００３９】
また、上記映像表示方法において、前記変更ステップは、乱数を発生する乱数発生ステップと、前記ディジタル映像情報に応じた映像の表示のぼやけ具合が時間の経過に伴って変動するように前記ディジタル映像情報を前記乱数発生ステップで発生した乱数に基づいて変更し、変更したディジタル映像情報を前記変更ディジタル情報として出力するぼやけ具合制御ステップとを含むことが望ましい。
【００４０】
また、上記映像表示装置において、前記ぼやけ具合制御部は、ローパスフィルターであることが望ましい。
【００４１】
また、上記映像表示方法において、前記ぼやけ具合制御ステップは、ローパスフィルターが実行することが望ましい。
【００４２】
また、上記映像表示装置において、前記変更部は、前記ディジタル映像情報に応じた映像の表示が振動しかつ該表示のぼやけ具合が時間の経過に伴って変動するように、前記ディジタル映像情報を変更し、変更したディジタル映像情報を前記変更ディジタル情報として出力することが望ましい。
【００４３】
また、映像表示方法において、前記変更ステップは、前記ディジタル映像情報に応じた映像の表示が振動しかつ該表示のぼやけ具合が時間の経過に伴って変動するように、前記ディジタル映像情報を変更し、変更したディジタル映像情報を前記変更ディジタル情報として出力することが望ましい。
【００４４】
上記の発明によれば、ディジタル映像情報に応じた映像の表示が振動しかつ表示のぼやけ具合が時間の経過に伴って変動するようにディジタル映像情報を変更し、変更したディジタル映像情報に応じた映像の表示を実行する。このため、表示される映像を、フィルム映写機を用いて表示されたように、振動を有しかつ表示のぼやけ具合が時間の経過に伴って変動するようにすることが可能となる。したがって、視聴者に振動を有しかつ表示のぼやけ具合が時間の経過に伴って変動する映像を提供することが可能となり、例えば、映像が数百インチ等の大型スクリーンに表示されていても、眼の疲れが少なくなり、視聴者は、映画らしく、フィルムライクの映像を楽しむことができ、心地よさを感じることが可能となる。
【００４５】
また、上記映像表示装置において、前記変更部は、乱数を発生する乱数発生部と、前記ディジタル映像情報に応じた映像の表示が振動しかつ該表示のぼやけ具合が時間の経過に伴って変動するように、前記ディジタル映像情報を前記乱数発生部によって発生された乱数に基づいて変更し、変更したディジタル映像情報を前記変更ディジタル情報として出力するゆらぎ制御部とを含むことが望ましい。
【００４６】
また、上記映像表示方法において、前記変更ステップは、乱数を発生する乱数発生ステップと、前記ディジタル映像情報に応じた映像の表示が振動しかつ該表示のぼやけ具合が時間の経過に伴って変動するように、前記ディジタル映像情報を前記乱数発生ステップで発生した乱数に基づいて変更し、変更したディジタル映像情報を前記変更ディジタル情報として出力するゆらぎ制御ステップとを含むことが望ましい。
【００４７】
また、上記映像表示装置において、前記ディジタル映像情報を符号化および圧縮する符号化部と、前記符号化部によって符号化および圧縮されたディジタル映像情報を記録する記録部と、前記記録部に記録されたディジタル映像情報を伸長および復号化する復号化部をさらに含み、前記変更部は、前記復号化部によって伸長および復号化されたディジタル映像情報を変更することが望ましい。
【００４８】
また、上記映像表示装置において、前記変更部から出力される変更ディジタル情報を符号化および圧縮する符号化部と、前記符号化部によって符号化および圧縮された変更ディジタル映像情報を記録する記録部と、前記記録部に記録された変更ディジタル映像情報を伸長および復号化する復号化部をさらに含み、前記表示実行部は、前記復号化部によって伸長および復号化された変更ディジタル映像情報に応じた映像の表示を実行することが望ましい。
【００４９】
上記の発明で、例えば、記録部の記憶容量を、数百フレーム以上または数分以上のディジタル映像情報を記録するのに十分な記憶容量とすれば、多くのディジタル映像情報を記録することが可能となる。
【００５０】
また、上記映像表示装置において、前記記録部は、複数の記録媒体を含み、前記ディジタル映像情報または前記変更ディジタル映像情報を該複数の記録媒体に分散して記録することが望ましい。
【００５１】
上記の発明によれば、例えば、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）構成により、ディジタル映像情報を記録部に記録することが可能となり、突発的な記録媒体の一部の破損に伴うディジタル映像情報の破壊を防ぐことが可能となる。
【００５２】
また、上記映像表示装置において、前記符号化部は、前記ディジタル映像情報をＭＰＥＧ２規格に基づいて符号化および圧縮することが望ましい。
【００５３】
また、上記映像表示装置において、前記ディジタル映像情報は、高精細映像情報であり、前記符号化部は、前記ディジタル映像情報をＭＰＥＧ２規格のＭＰ＠ＨＬの高精細符号化復号化手法により符号化および圧縮することが望ましい。
【００５４】
また、上記映像表示装置において、前記符号化部は、前記ディジタル映像情報をＷＭ９規格に基づいて符号化および圧縮することが望ましい。
【発明の効果】
【００５５】
本発明によれば、ディジタル映像情報に応じた映像の表示がゆらぎ（例えば、１／ｆゆらぎ）を有するようにディジタル映像情報を変更し、変更したディジタル映像情報に応じた映像の表示を実行する。このため、表示される映像を、フィルム映写機を用いて表示されたようにゆらぎを有するものとすることが可能となる。したがって、視聴者にゆらぎを有する映像を提供することが可能となり、例えば、映像が数百インチ等の大型スクリーンに表示されていても、眼の疲れが少なくなり、視聴者が、映画らしく、フィルムライクの映像を楽しむことができ、心地よさを感じることが可能となる。
【発明を実施するための最良の形態】
【００５６】
以下、本発明の一実施例を図面を参照して説明する。
【００５７】
図１は、本発明の一実施例の映像表示装置を示したブロック図である。
【００５８】
図１において、本実施例の映像表示装置１は、符号化部としてのエンコーダ２と、記録部３と、復号化部としてのデコーダ５と、変更部としての１／ｆゆらぎ発生部６と、表示実行部としての映像表示部７を含む。
【００５９】
記録部３は、複数の記録媒体（例えば、ハードディスク）４を含む。
【００６０】
１／ｆゆらぎ発生部６は、乱数発生部６１と、振動制御部としての１／ｆゆらぎ振動部６２と、ぼやけ具合制御部としての１／ｆゆらぎローパスフィルター６３とを含む。なお、１／ｆゆらぎ振動部６２と１／ｆゆらぎローパスフィルター６３とで、ゆらぎ制御部を構成する。
【００６１】
映像表示部７は、ビデオプロジェクタ７１と、スクリーン７２とを含む。なお、映像表示部７は、スクリーン７２を含まず、ビデオプロジェクタ７１を含む構成としてもよい。
【００６２】
エンコーダ２は、図示しない外部のディジタルハイビジョン方式のテレビカメラ等の撮像装置、または、ＶＴＲ、ＬＤプレーヤ、ＤＶＤプレーヤ等の映像記録再生装置、または、パソコン、ワークステーション等のコンピュータ装置から、ディジタル映像情報（例えば、ディジタルＨＤ映像情報）を受け付ける。
【００６３】
エンコーダ２は、受け付けたディジタル映像情報を、ＭＰＥＧ２（Ｍｏｖｉｎｇ  Ｐｉｃｔｕｒｅ  Ｅｘｐｅｒｔｓ  Ｇｒｏｕｐ  ２）等の規格、例えば、ＭＰ＠ＨＬ（メインプロファイル・アット・ハイレベル）に基づいた高精細符号化復号化手法に基づいて符号化（エンコード）および圧縮する。
【００６４】
記録部３が有する複数の記録媒体４のそれぞれは、エンコーダ２によって符号化および圧縮されたディジタル映像情報を、数百フレーム以上または数分以上記録するために十分な記録容量（例えば、数ＧＢｙｔｅレベル以上）を有している。
【００６５】
記録部３、具体的には記録媒体４は、エンコーダ２によってＭＰＥＧ２（ＭＰ＠ＨＬ）等の規格に基づいて符号化、圧縮、低容量化されたディジタル映像情報を記録する。
【００６６】
記録部３は、ディジタル映像情報を記録する際、ディジタル映像情報が複数の記録媒体４に分散するように記録する。例えば、記録部３は、ＲＡＩＤ構成により、ディジタル映像情報を記録する。この場合、ディジタル映像情報に冗長性を持たせることができるので、突発的な記録媒体４の一部の破損に伴うディジタル映像情報の破壊を防ぐことが可能となる。
【００６７】
デコーダ５は、記録部３（具体的には、記録媒体４）に記録されているＭＰＥＧ２（ＭＰ＠ＨＬ）等で圧縮されたディジタル映像情報を読み出し、読み出したディジタル映像情報をＭＰＥＧ２（ＭＰ＠ＨＬ）等の規格に基づいて伸長および復号化（デコード）処理を行い、処理結果のディジタル映像情報を１／ｆゆらぎ発生部６に供給する。
【００６８】
１／ｆゆらぎ発生部６は、デコーダ５から供給されたディジタル映像情報に応じた映像の表示がゆらぎを有するように、デコーダ５から供給されたディジタル映像情報を変更し、変更したディジタル映像情報を変更ディジタル情報として出力する。
【００６９】
乱数発生部６１は、乱数を発生する。本実施例では、乱数発生部６１は、１／ｆ乱数を発生する。なお、乱数発生部６１が発生する乱数は、１／ｆ乱数に限るものではない。
【００７０】
１／ｆゆらぎ振動部６２は、乱数発生部６１から発生される乱数に基づいて不規則な振動を発生し、この振動に基づいて、デコーダ５から供給されたディジタル映像情報に対して１／ｆゆらぎ加工を施す。
【００７１】
具体的には、１／ｆゆらぎ振動部６２は、デコーダ５から供給されるディジタル映像情報に応じた映像の表示を、乱数に基づく振動に応じて、画面の縦方向（Ｖ）および横方向（Ｈ）の二つの方向に数画素ずつ不規則的にかつ小刻みに移動させるように、デコーダ５から供給されたディジタル映像情報に対して１／ｆゆらぎ加工を施す。
【００７２】
１／ｆゆらぎ低域濾過（ローパスフィルター）部６３は、乱数発生部６１から発生される乱数に基づいて不規則なぼかしのための不規則な周波数特性を発生し、この周波数特性に応じて、デコーダ５から供給されるディジタル映像情報に応じた映像の表示画面上の不規則な面積または形状の領域について不規則に高域周波数成分を落とすことで不規則に映像の輪郭等をぼかすように、換言すると、発生した周波数特性に応じて、表示のぼやけ具合が時間の経過に伴って変動するように、デコーダ５から供給されるディジタル映像情報に対して１／ｆゆらぎ加工を施す。
【００７３】
１／ｆゆらぎ発生部６は、１／ｆゆらぎ加工を施したディジタル映像情報をビデオプロジェクタ７１に供給する。
【００７４】
ビデオプロジェクタ７１は、１／ｆゆらぎ発生部６から供給されたディジタル映像情報に応じた映像をスクリーン７２に表示する。スクリーン７２は、例えば、数百インチ等の大型スクリーンである。なお、スクリーン７２は、数百インチ等の大型スクリーンに限るものではなく適宜変更可能である。
【００７５】
１／ｆゆらぎ発生部６から供給されたディジタル映像情報はゆらぎを有する映像を示すので、スクリーン７２に表示される映像はゆらぎ（本実施例では１／ｆゆらぎ）を有している。具体的には、スクリーン７２に表示される映像は、映像の上下左右方向に振動するゆらぎと、表示のぼやけ具合が時間の経過に伴って変動するゆらぎを有する。このため、視聴者が、スクリーン７２上の映像を視認する場合、目が疲れにくくなり、また、映画らしく、フィルムライクの映像を楽しむことができ、心地よさを感じることが可能となる。特に、スクリーン７２に表示される映像が１／ｆゆらぎを有している場合には、視聴者にとって心地のよい映像となる可能性がある。
【００７６】
次に、動作を説明する。
【００７７】
図２は、図１に示した映像表示装置１が扱うディジタル映像情報の一例を示す説明図である。図２において、ディジタル映像情報１１は、エンコーダ２に供給されるディジタル映像情報の一例である。ディジタル映像情報１２は、１／ｆゆらぎ発生部６によって１／ｆゆらぎ加工が施されたディジタル映像情報の一例である。
【００７８】
図示しない外部の撮像装置、映像記録再生装置またはコンピュータ装置等からディジタルＨＤ映像情報１１がエンコーダ２に供給されると、エンコーダ２は、供給されたディジタルＨＤ映像情報１１を、ＭＰＥＧ２（ＭＰ＠ＨＬ）等の高精細符号化復号化手法に基づいて符号化、圧縮および低容量化する。
【００７９】
エンコーダ２は、符号化、圧縮および低容量化したディジタルＨＤ映像情報１１を、記録部３に記録する。この際、エンコーダ２は、ＲＡＩＤ構成により、ディジタルＨＤ映像情報を記録部３が有する複数の記録媒体４に分散して記録する。この場合、ディジタル映像情報に冗長性を持たせることができるので、突発的な記録媒体４の一部の破損に伴うディジタル映像情報の破壊を防ぐことが可能となる。
【００８０】
デコーダ５は、記録部３の記録媒体４から、ＭＰＥＧ２（ＭＰ＠ＨＬ）等で圧縮されたディジタルＨＤ映像情報を読み出し、読み出したディジタルＨＤ映像情報をＭＰＥＧ２（ＭＰ＠ＨＬ）等の規格に基づいて伸長および復号化（デコード）処理を行い、処理結果のディジタルＨＤ映像情報１１を１／ｆゆらぎ発生部６に供給する。
【００８１】
１／ｆゆらぎ発生部６は、デコーダ５から供給されたディジタルＨＤ映像情報１１に１／ｆゆらぎ加工を施し、１／ｆゆらぎ加工を施したディジタルＨＤ映像情報を１／ｆゆらぎディジタルＨＤ映像情報１２として映像表示部７に出力する。
【００８２】
この際、１／ｆゆらぎ発生部６内の１／ｆゆらぎ振動部６２は、乱数発生部６１より発生された乱数（１／ｆ乱数）に基づいて不規則な振動を発生し、この振動に応じて、デコーダ５から供給されるディジタルＨＤ映像情報に応じた映像の表示を画面の縦方向（Ｖ）および横方向（Ｈ）の二つの方向に数画素ずつ不規則的にかつ小刻みに移動させることで、ディジタルＨＤ映像情報に応じた映像の表示が振動するように、デコーダ５から供給されたディジタルＨＤ映像情報１１に対して１／ｆゆらぎ加工を施す。
【００８３】
１／ｆゆらぎ振動部６２は、乱数発生部６１から発生された乱数（１／ｆ乱数）に基づいて、画面を上下左右のどの方向に移動させるかといった移動方向や、画面を何画素ずらすかといった移動量や、移動させるかさせないかといった振動の周期等を決定する。
【００８４】
図２に示した１／ｆゆらぎディジタルＨＤ映像情報１２−１は、画面の下方向に数画素移動した画像例を示し、同様に、１／ｆゆらぎディジタルＨＤ映像情報１２−２は、画面の左方向に数画素移動した画像例を示す。
【００８５】
また、１／ｆゆらぎ低域濾過（ローパスフィルター）部６３は、乱数発生部６１から発生された乱数（１／ｆ乱数）に基づいて不規則なぼかしのための不規則な周波数特性を発生し、この周波数特性に応じて、デコーダ５から供給されるディジタルＨＤ映像情報に応じた映像の表示画面上の不規則な面積または形状の領域について不規則に高域周波数成分を落とすことで不規則に映像の輪郭等をぼかすように、デコーダ５から供給されるディジタルＨＤ映像情報に対して１／ｆゆらぎ加工を施す。
【００８６】
１／ｆゆらぎ低域濾過（ローパスフィルター）部６３は、乱数発生部６１から発生された乱数（１／ｆ乱数）に基づいて、画面上のどれくらいの面積およびどのような形状の領域について高域周波数成分を落とすのかと、どの程度の低域濾過周波数とするかというぼかしの程度を決定するとともに、ぼかすかぼかさないかといったぼかしの周期等を乱数発生部６１から発生された乱数に基づいて決定する。
【００８７】
図２に示した１／ｆゆらぎディジタルＨＤ映像情報１２−３は、画面上の不規則な面積、形状の領域について不規則に高域周波数成分を落とすことで、不規則に映像の輪郭等をぼかした画像例を示す。
【００８８】
したがって、１／ｆゆらぎ発生部６から出力される１／ｆゆらぎディジタルＨＤ映像情報１２は、元々のディジタルＨＤ映像情報１１を１／ｆゆらぎディジタルＨＤ映像情報１２−１から１／ｆゆらぎディジタルＨＤ映像情報１２−３のような各種ディジタルＨＤ映像情報のように不規則に加工したものおよび元々のディジタルＨＤ映像情報１１とを含むものとなり、１／ｆゆらぎディジタルＨＤ映像情報１２に応じた映像の表示はゆらぎを有することとなる。
【００８９】
映像表示部７内のビデオプロジェクタ７１は、１／ｆゆらぎ発生部６から供給される１／ｆゆらぎディジタルＨＤ映像情報１２に応じた映像をスクリーン７２上に表示する。
【００９０】
１／ｆゆらぎ発生部６から供給された１／ｆゆらぎディジタルＨＤ映像情報はゆらぎを有する映像を示すので、スクリーン７２に表示される映像はゆらぎを有している。具体的には、スクリーン７２に表示される映像は、映像の上下左右方向に振動するゆらぎ（例えば、１／ｆゆらぎ）と、表示のぼやけ具合が時間の経過に伴って変動するゆらぎ（例えば１／ｆゆらぎ）を有する。このため、視聴者が、例えば数百インチ等の大型スクリーン７２上の映像を長時間連続して注視した場合にも、目が疲れにくくなり、また、映画らしく、フィルムライクの映像を楽しむことができ、心地よさを感じることが可能となる。
【００９１】
本実施例では、１／ｆゆらぎ発生部６が、ディジタル映像情報に応じた映像の表示にゆらぎ（例えば１／ｆゆらぎ）を与えるようにディジタル映像情報を変更し、変更されたディジタル映像情報に応じた映像の表示を映像表示部７が実行する。
【００９２】
このため、表示される映像を、フィルム映写機を用いて表示されたようにゆらぎ（例えば１／ｆゆらぎ）を有するものとすることが可能となる。したがって、視聴者にゆらぎ（例えば１／ｆゆらぎ）を有する映像を提供することが可能となり、例えば、映像が数百インチ等の大型スクリーンに表示されていても、眼の疲れが少なくなり、映画らしく、フィルムライクの映像を楽しむことができ、心地よさを感じることが可能となる。
【００９３】
また、本実施例の映像表示装置１は、全体をディジタル化できるので、ディジタルハイビジョン等の高精細映像情報（ディジタルＨＤ映像情報）に対応することが可能となり、高精細、高画質の映像を記録、再生および表示可能な、符号化復号化方式による映像記録再生表示装置として利用することが可能となる。
【００９４】
また、本実施例の映像表示装置１は、ディジタルＨＤ映像情報をＭＰＥＧ２等の規格において、特にＭＰ＠ＨＬ等の高精細符号化復号化手法により符号化、圧縮、低容量化するエンコーダ２を有し、このディジタルＨＤ映像情報（数百フレーム以上、数分以上の画像情報等）を記録することができる、十分な記憶容量をもつハードディスク等の記録媒体４を含む記録部３を有し、さらに、ＭＰＥＧ２等の規格において符号化、圧縮、低容量化されたディジタルＨＤ映像情報を、ＭＰＥＧ２等の規格において、特にＭＰ＠ＨＬ等の高精細符号化復号化手法により伸長、復号化し、ディジタルＨＤ映像データを生成するデコーダ５を有するとともに、ディジタル映像データに応じた映像の表示を実行する映像表示部７とを有することで、ディジタルＨＤ映像データを、特にビデオプロジェクタ７１等の映像表示部を用いて数百インチ等の大型スクリーン７２上に映像表示することができる。
【００９５】
また、本実施例の映像表示装置１は、ディジタルＨＤ映像情報（数百フレーム以上、数分以上の画像等）を記録するために十分な記憶容量をもつハードディスク等の記録媒体４を含む記録部３を有することで、ＭＰＥＧ２（ＭＰ＠ＨＬ）等の規格において符号化、圧縮、低容量化されたディジタルＨＤ映像情報を、デコーダ５でＭＰＥＧ２（ＭＰ＠ＨＬ）等の規格において伸長、復号化してディジタルＨＤ映像データを生成する際に、一旦ディジタルＨＤ映像情報を所定の手法によりハードディスク等の複数の記録媒体４でＲＡＩＤ構成とすることで、突発的なディスククラッシュからディジタルＨＤ映像情報を保護することが可能となる。
【００９６】
以上、本発明の一実施例を図面を参照して詳述してきたが、本発明の具体的な構成は上記実施例に限られるものではなく、本発明の要旨を逸脱しない範囲の設計変更等があっても本発明に含まれる。
【００９７】
例えば、本発明の一実施例では、１／ｆゆらぎ発生部６がデコーダ５と映像表示部７の間に設けられている例を説明したが、１／ｆゆらぎ発生部６がエンコーダ２の前段に設けられていてもよい。
【００９８】
また、本発明の一実施例では、１／ｆゆらぎ発生部６は、内部に乱数発生部６１と、１／ｆゆらぎ振動部６２および１／ｆゆらぎ低域濾過（ローパスフィルター）部６３とを有していたが、１／ｆゆらぎ発生部６が、乱数発生部６１を有し、かつ、１／ｆゆらぎ振動部６２または１／ｆゆらぎ低域濾過（ローパスフィルター）部６３のどちらか一方のみを有するようにしてもよい。
【００９９】
また、エンコーダ２は、受け付けたディジタル映像情報をＷＭ９（Windows Media 9）規格に基づいて符号化および圧縮するようにしてもよい。この場合、デコーダ５は、記録部３に記録されたディジタル映像情報をＷＭ９規格に基づいて伸長および復号化する。
【０１００】
また、本発明の映像表示装置１の産業上の利用可能性は、例えばディジタルシネマへの活用例として、ＭＰＥＧ２（ＭＰ＠ＨＬ）シネマサーバ等に適用することができる。この場合、ＭＰＥＧ２（ＭＰ＠ＨＬ）シネマサーバによって上映される映画の視聴者は、表示にゆらぎ（例えば１／ｆゆらぎ）を有した映像を観賞することが可能となるので、大型スクリーンで映画を上映しても、視聴者は、目が疲れることもなく、映画らしく、フィルムライクの映像を楽しむことができ、心地よさを感じることが可能となる。
【図面の簡単な説明】
【０１０１】
【図１】本発明の一実施例の映像表示装置を示したブロック図である。
【図２】図１に示した映像表示装置で用いるディジタル映像情報の一例を示した説明図である。
【符号の説明】
【０１０２】
１      映像表示装置
２      エンコーダ
３      記録部
４      記録媒体
５      デコーダ
６      １／ｆゆらぎ発生部
６１    乱数発生部
６２    １／ｆゆらぎ振動部
６３    １／ｆゆらぎ低域濾過（ローパスフィルター）部
７      映像表示部
７１    ビデオプロジェクタ
７２    スクリーン
１１    ディジタルＨＤ映像情報
１１−１  ディジタルＨＤ映像情報
１２    １／ｆゆらぎディジタルＨＤ映像情報
１２−１、１２−２、１２−３  １／ｆゆらぎディジタルＨＤ映像情報
【図１】
2005184217.tif 000003
【図２】
2005184217.tif 000004